(57)【特許請求の範囲】
【請求項１】
記録処理を経た記録媒体を排出する排出部と、前記排出部から排出された前記記録媒体を受け、記録面の反対面を支持するスタッカとを有する記録装置であって、
前記排出部に対して前記スタッカを着脱自在に取り付ける係合機構を備え、
前記係合機構は、前記排出部に設けられた第１の係合部と、
前記スタッカに設けられた、前記第１の係合部と係合する第２の係合部と、
前記第１の係合部に前記第２の係合部を案内する少なくとも上方に向かって延在する、案内手段とを備え、
前記第２の係合部は、前記スタッカに設けられた付勢手段により、前記案内手段を移動するために上方に付勢されており、
前記スタッカに対し、前記付勢手段の付勢力に反する外力が加えられ、該外力が除かれると、前記第２の係合部は前記付勢力により上昇して、前記第２の係合部が前記案内手段を案内され、前記第１の係合部と係合することを特徴とする記録装置。
【請求項２】
前記スタッカは、一端が接地する第１接地フレームと一端が接地する第２接地フレームとを交差させ、該交差した位置において互いを軸周りに回転自在に連結したフレーム構造体を備え、
前記付勢手段は、前記第１接地フレームと前記第２接地フレームとの間に架設されて前記第１接地フレームの他端が上昇するような、前記付勢力を発現させる弾性構造体を備えることを特徴とする請求項１に記載の記録装置。
【請求項３】
前記第２の係合部は、前記第１接地フレーム及び前記第２接地フレームのいずれか一方に設けられていることを特徴とする請求項２に記載の記録装置。
【請求項４】
前記案内手段の前記第２の係合部が導入される導入部は、所定高さに位置しており、
前記弾性構造体は、前記外力が加えられた際の前記第２の係合部の高さが前記導入部の高さに位置するように前記第１接地フレームに対する前記第２接地フレームの回転量を規制する規制部を備えることを特徴とする請求項２または３に記載の記録装置。
【請求項５】
前記案内手段の前記第２の係合部が導入される導入部は、前記第２の係合部が入り込む入口側に向かって漸次幅が広くなるように形成されていることを特徴とする請求項１〜４のいずれか一項に記載の記録装置。
【発明の詳細な説明】
【技術分野】
【０００１】
本発明は、記録装置に関する。
【背景技術】
【０００２】
記録媒体に記録処理を実施する記録装置として、例えば下記特許文献１に記載のインクジェットプリンターが知られている。
特許文献１には、例えば記録媒体として比較的大型の記録用紙（例えばＪＩＳ規格のＡ１判、Ｂ１判など）に記録処理が可能な大型のインクジェットプリンター（ラージフォーマットプリンター：ＬＦＰ）が開示されている。このインクジェットプリンターは、記録用紙の搬送路と直交する幅方向に往復移動自在な記録ヘッドを備え、該記録ヘッドから記録用紙に対してインクを噴射して記録処理を実施する。そして、記録処理を経た記録用紙は、順次プリンタ本体から排出されて、下方に設けられた受け（スタッカ）に落下し、積み重なるようにして保持される。
【先行技術文献】
【特許文献】
【０００３】
【特許文献１】特開２００８−２８１５４９号公報
【発明の概要】
【発明が解決しようとする課題】
【０００４】
ところで、上記インクジェットプリンターに設けられるスタッカの形態としては、上記特許文献に開示されているような後方方式の形態と、その逆の前方方式の形態とがある。後方方式の形態は、記録処理を実施した記録面側がスタッカに面するように擦れながら積み重なるため、記録面に対する擦傷等の発生が懸念される。このため、記録面の保護の観点からは、前方方式の形態を採用することが好ましいが、前方方式の形態を採用すると、スタッカをインクジェットプリンター本体の前方に取り付けなければならないので、スペースが広く必要となる。このため、従来では、スタッカを必要なときにだけインクジェットプリンター本体に取り付ける形態を採用していたが、大型のスタッカは取り付けが著しく煩雑であるという問題があった。
【０００５】
本発明は、上記問題点に鑑みてなされたもので、大型のスタッカを容易に取り付けることができる記録装置を提供することを目的としている。
【課題を解決するための手段】
【０００６】
上記の課題を解決するために、本発明は、記録処理を経た記録媒体を排出する排出部と、上記排出部から排出された上記記録媒体を受けるスタッカとを有する記録装置であって、上記排出部に対して上記スタッカを着脱自在に取り付ける係合機構を備え、上記係合機構は、上記排出部に設けられた第１の係合部と、上記スタッカに設けられた、上記第１の係合部と係合する第２の係合部と、上記第１の係合部に上記第２の係合部を案内する少なくとも上方に向かって延在する、案内手段とを備え、上記第２の係合部は、上記スタッカに設けられた付勢手段により、上記案内手段を移動するために上方に付勢されており、上記スタッカに対し、上記付勢手段の付勢力に反する外力が加えられ、該外力が除かれると、上記第２の係合部は上記付勢力により上昇して、上記第２の係合部が上記案内手段を案内され、上記第１の係合部と係合するという構成を採用する。
このような構成を採用することによって、本発明では、スタッカに対し加えられた外力に反する付勢力を用いて、スタッカに設けられた第２の係合部を上昇させて排出部に設けられた第１の係合部と係合させることにより、排出部に対するスタッカの位置決め及び取り付けを行う。
【０００７】
また、本発明においては、上記スタッカは、一端が接地する第１接地フレームと一端が接地する第２接地フレームとを交差させ、該交差した位置において互いを軸周りに回転自在に連結したフレーム構造体を備え、上記付勢手段は、上記第１接地フレームと上記第２接地フレームとの間に架設されて上記第１接地フレームの他端が上昇するような、上記付勢力を発現させる弾性構造体を備えるという構成を採用する。
このような構成を採用することによって、本発明では、フレーム構造体に対し上方から外力を加えると、第１接地フレームと第２接地フレームとが開くように可動する。第１接地フレームと第２接地フレームとの間が開くと、その間に架設された弾性構造体に引っ張り力が加わり、その反力（復元力）が第１接地フレームと第２接地フレームとの間に作用する。この復元力を用いて、スタッカに設けられた第２の係合部を上昇させて排出部に設けられた第１の係合部と係合させることにより、排出部に対するスタッカの位置決め及び取り付けを行う。
【０００８】
また、本発明においては、上記第２の係合部は、上記第１接地フレーム及び上記第２接地フレームのいずれか一方に設けられているという構成を採用する。
このような構成を採用することによって、本発明では、上記フレーム構造体の作用により、接地フレームの一方側に上方から外力を加えて可動させれば、接地フレームの他方側も同時に可動するので、第２の係合部が設けられた接地フレームと逆側の接地フレームを操作することで第２の係合部を容易に可動させることが可能となる。
【０００９】
また、本発明においては、上記案内手段の上記第２の係合部が導入される導入部は、所定高さに位置しており、上記弾性構造体は、上記外力が加えられた際の上記第２の係合部の高さが上記導入部の高さに位置するように上記第１接地フレームに対する上記第２接地フレームの回転量を規制する規制部を備えるという構成を採用する。
このような構成を採用することによって、本発明では、規制部がスタッカに外力を加えた際の押し下がり量を規制することで、押下げた時点での案内手段の導入部と第２の係合部との高さ関係を同一し、案内手段に対する第２の係合部の導入を円滑に行わせることが可能となる。
【００１０】
また、本発明においては、上記案内手段の上記第２の係合部が導入される導入部は、上記第２の係合部が入り込む入口側に向かって漸次幅が広くなるように形成されているという構成を採用する。
このような構成を採用することによって、本発明では、導入部に対して第２の係合部を導入し易くなり、また、第２の係合部を案内手段に沿って円滑に案内することが可能となる。
【図面の簡単な説明】
【００１１】
【図１】本発明の実施形態におけるインクジェットプリンターを示す斜視図である。
【図２】本発明の実施形態におけるスタッカを示す斜視図である。
【図３】本発明の実施形態におけるスタッカの折りたたみ状態を示す斜視図である。
【図４】本発明の実施形態におけるスタッカを示す側面図である。
【図５】本発明の実施形態における取付フレームとボスとの係合前の様子を示す図である。
【図６】本発明の実施形態における取付フレームとボスとの係合後の様子を示す図である。
【図７】本発明の実施形態におけるスタッカに設けられたロックステイを示す斜視図である。
【図８】本発明の実施形態におけるロックステイの分解斜視図である。
【図９】図７における線視Ａ−Ａ断面図である。
【図１０】図７における線視Ｂ−Ｂ断面図である。
【図１１】本発明の実施形態における排出部に対してスタッカを取り付ける様子を時系列的に示す図である。
【発明を実施するための形態】
【００１２】
以下、本発明に係る流体噴射装置の各実施形態について、図を参照して説明する。なお、以下の説明に用いる各図面では、各部材を認識可能な大きさとするため、各部材の縮尺を適宜変更している。本実施形態では、本発明に係る記録装置として、記録媒体として比較的大型の記録用紙（例えばＪＩＳ規格のＡ１判、Ｂ１判など）に記録処理が可能な大型のインクジェットプリンター（ラージフォーマットプリンター：ＬＦＰ）を例示する。
【００１３】
図１は、本発明の実施形態におけるインクジェットプリンター１を示す斜視図である。
インクジェットプリンター１は、記録用紙Ｐに記録処理を施すプリンタ本体部１０を備える。プリンタ本体部１０は、一対の脚部１０ａにより所定高さに支持されている。プリンタ本体部１０は、約６０°の傾斜角度で記録用紙Ｐを搬送する搬送路１１と、記録用紙Ｐの搬送方向と直交する搬送路１１の幅方向に往復移動自在な記録ヘッド１２とを備える。また、プリンタ本体部１０の後部は、ロール紙Ｒを保持することができるスピンドルを備える。搬送路１１は、記録用紙Ｐをニップする共に回転駆動して記録用紙Ｐを搬送する不図示の搬送ローラを複数備える。
【００１４】
記録ヘッド１２は、搬送路１１の幅方向に移動自在な不図示のキャリッジに搭載されている。記録ヘッド１２は、複数のノズル列を備え、各ノズル列から所定の色（例えばイエロー（Ｙ）、マゼンタ（Ｍ）、シアン（Ｃ）、ブラック（Ｋ））のインクをそれぞれ噴射可能な構成となっている。記録ヘッド１２は、搬送路１１に沿って搬送されてくる記録用紙Ｐの記録面に対してインクを噴射することにより所定の画像や文字等の情報を記録する記録処理を実施する。記録処理を経た記録用紙Ｐは、搬送路１１の終端部を構成する排出部２０から排出される。なお、以下の説明で、記録用紙Ｐの排紙方向前方側を、前方側と、記録用紙Ｐの排紙方向後方側を、後方側と称して説明する場合がある。
【００１５】
インクジェットプリンター１は、排出部２０から排出された記録用紙Ｐを受けるスタッカ３０と、排出部２０に対してスタッカ３０を着脱自在に取り付ける係合機構４０とを備える。以下、本発明に係るスタッカ３０及び係合機構４０の特徴的な構成について説明する。
図２は、本発明の実施形態におけるスタッカ３０を示す斜視図である。図３は、本発明の実施形態におけるスタッカ３０の折りたたみ状態を示す斜視図である。図４は、本発明の実施形態におけるスタッカ３０を示す側面図である。
【００１６】
スタッカ３０は、順次プリンタ本体１０の排出部２０から排出される記録用紙Ｐを積み重なるように保持する前方方式の形態を採るスタッカである。スタッカ３０は、図２に示すように、第１接地フレーム３１と第２接地フレーム３２とを交差させ、該交差した位置において連結軸３３を設け、互いを水平方向に延びる軸周りに回転自在に連結したフレーム構造体３４を備える。第１接地フレーム３１は、略矩形の枠形状を有し、一方の第２接地フレーム３２は、略コの字形状を有する。スタッカ３０は、連結軸３３を中心に第１接地フレーム３１と第２接地フレーム３２とを可動させることにより、未使用時には折りたたむことが可能な構成となっている（図３参照）。
【００１７】
図２に戻り、第１接地フレーム３１の上部フレーム３１ａと第２接地フレーム３２の上部フレーム３２ａとの間には、記録用紙Ｐの記録面に対し裏面を支持する複数の帯部材３５が所定間隔を空けて架設されている。帯部材３５は、記録用紙Ｐの複数の紙種に対応できる間隔で並列しており、本実施形態では４本設けられている。帯部材３５は、可撓性を有する高分子フィルム材から構成されており、図４に示すように、上部フレーム３１ａと上部フレーム３２ａとの間において垂れ下がることにより緩やかな傾斜をつけて、排出された記録用紙Ｐの排紙速度を減速させる構成となっている。また、上部フレーム３１ａには、フック３６が設けられており、記録用紙Ｐの飛び出しを抑制する構成となっている。
【００１８】
係合機構４０は、図１に示すように排出部２０両側に設けられた取付フレーム（第１の係合部）４１と、図２に示すようにスタッカ３０の上部フレーム３２ａの両側に設けられて取付フレーム４１と係合するボス（第２の係合部）４２とを有する。
図５は、本発明の実施形態における取付フレーム４１とボス４２との係合前の様子を示す図である。図６は、本発明の実施形態における取付フレーム４１とボス４２との係合後の様子を示す図である。
【００１９】
取付フレーム４１は、脚部１０ａのそれぞれに固定され、該固定位置から前方側に所定距離延在している。取付フレーム４１は、図５に示すように、ボス４２を案内する案内溝（案内手段）４３を備える。案内溝４３は、ボス４２が導入される導入部４３Ａから後方側に向かって水平方向に延在する第１水平溝４３ａと、第１水平溝４３ａの終端と接続され後方側に向かうに従って上方に傾斜する傾斜溝４３ｂと、傾斜溝４３ｂの終端と接続され後方側に向かって水平方向に延在する第２水平溝４３ｃと、第２水平溝４３ｃの終端と接続され鉛直上方に向かって延在する鉛直溝４３ｄとを備える。案内溝４３の導入部４３Ａは、第１水平溝４３ａの始端側（案内溝４３の入口側）を構成するものであり、始端側に向かって第１水平溝４３ａの幅が漸次拡大した形状を有する。
【００２０】
ボス４２は、スタッカ３０の上部フレーム３２ａの両側に所定距離突出して設けられ、各々が案内溝４３に沿って案内されて取付フレーム４１と係合する構成となっている。具体的には、図５及び図６に示すように、ボス４２は、拡大した導入部４３Ａから案内溝４３に導入され、第１水平溝４３ａ、傾斜溝４３ｂを通過して、第２水平溝４３ｃの終端まで至った後に、後述する付勢手段であるロックステイ（弾性構造体）５０によって上方に付勢されて鉛直溝４３ｄの終端と係合する構成となっている。
【００２１】
ロックステイ５０は、図２に示すように、第１接地フレーム３１の側部フレーム３１ｂと第２接地フレーム３２の側部フレーム３２ｂとの間に架設されている。
図７は、本発明の実施形態におけるスタッカ３０に設けられたロックステイ５０を示す斜視図である。図８は、本発明の実施形態におけるロックステイ５０の分解斜視図である。図９は、図７における線視Ａ−Ａ断面図である。図１０は、図７における線視Ｂ−Ｂ断面図である。
【００２２】
ロックステイ５０は、図７及び図８に示すように、互いに長さ方向にスライド自在に組み合わされた第１スライドフレーム５１及び第２スライドフレーム５２を備える。第１スライドフレーム５１の一端部は、ビス５１ａを介して側部フレーム３１ｂに回転自在に固定される。第２スライドフレーム５２の一端部は、ビス５２ａを介してカバーフレーム５３と共に側部フレーム３２ｂに回転自在に固定される。カバーフレーム５３は、第２スライドフレーム５２に設けられてスタッカ３０の折りたたみ時にビス５２ａがスライドするスライド長穴５２ｂを覆うと共に、第１スライドフレーム５１と第２スライドフレーム５２とをスライド自在に組み合わせる構成となっている。
【００２３】
ロックステイ５０は、図８に示すように、第１スライドフレーム５１及び第２スライドフレーム５２をスライド方向収縮側に付勢するコイルバネ５４と、第１スライドフレーム５１及び第２スライドフレーム５２のスライドストロークを所定範囲内に規制する規制部５５とを備える。コイルバネ５４の一端部は、第１スライドフレーム５１に設けられたカシメ軸５６に固定され、コイルバネ５４の他端部は、第２スライドフレーム５２の一部を内側に折り込んだ折込部５７に固定される。規制部５５は、第１スライドフレーム５１に固定されたスライド軸５８と、第２スライドフレーム５２に設けられてスライド軸５８がスライドする一対のスライド長穴５９とを備える。スライド長穴５９は、第２スライドフレーム５２の長さ方向に所定距離延在している。
【００２４】
ロックステイ５０は、図９及び図１０に示すように、常態でコイルバネ５４の付勢によってスライド軸５８がスライド長穴５９の一端部５９Ａに位置している状態にある。この状態のとき、ロックステイ５０は、スタッカ３０に設けられたボス４２の高さと鉛直溝４３ｄの終端の高さとを同一の高さ関係になるように、フレーム構造体３４の開きを規制する構成となっている。一方、フレーム構造体３４に対して外力が加えられて、スライド軸５８がスライド長穴５９の他端部５９Ｂに位置している状態にあるとき、スタッカ３０に設けられたボス４２の高さと導入部４３Ａ（第１水平溝４３ａ）の高さとを同一の高さ関係になるように、フレーム構造体３４の開きを規制する構成となっている。
【００２５】
続いて、図１１を参照して、排出部２０に対してスタッカ３０を取り付ける動作について具体的に説明する。
図１１は、本発明の実施形態における排出部２０に対してスタッカ３０を取り付ける様子を時系列的に示す図である。
【００２６】
図１１（ａ）に示すように、先ずユーザーは、スタッカ３０の第１接地フレーム３１の上部フレーム３１ａに対して上方から外力を加える。フレーム構造体３４に対し上方から外力が加えられると、第１接地フレーム３１と第２接地フレーム３２とが開くように可動する。上記構成のスタッカ３０によれば、第１接地フレーム３１に対し上方から外力を加えて可動させると、フレーム構造体３４の作用により、第２接地フレーム３２も同時に可動するので、ボス４２が設けられた第２接地フレーム３２と逆側の第１接地フレーム３１を操作することでボス４２を容易に可動させることが可能となる。
【００２７】
第１接地フレーム３１と第２接地フレーム３２との間が開くと、その間に架設されたロックステイ５０に引っ張り力が加わる。引っ張り力によって、ロックステイ５０が伸長すると、コイルバネ５４の付勢によってスライド長穴５９の一端部５９Ａに位置しているスライド軸５８が、付勢に抗してコイルバネ５４を弾性変形させつつスライド長穴５９の他端部５９Ｂに向かって移動する。スライド軸５８がスライド長穴５９の他端部５９Ｂに位置すると、ロックステイ５０の伸長が止まる。この状態のロックステイ５０は、スタッカ３０に設けられたボス４２の高さと導入部４３Ａの高さとを同一の高さ関係になるように、フレーム構造体３４の開きを規制することとなる。
【００２８】
図１１（ｂ）に示すように、次にユーザーは、上方から外力を加えた状態で、ボス４２を取付フレーム４１に設けられた案内溝４３に導入するように、スタッカ３０を前進させる。このとき、規制部５５によって、スタッカ３０に外力を加えた際の押し下がり量が規制されているので、押下げた時点での案内溝４３の導入部４３Ａとボス４２との高さ関係が同一となり、案内溝４３に対するボス４２の導入を円滑に行わせることが可能となる。また、案内溝４３の導入部４３Ａは、ボス４２が入り込む入口側に向かって漸次幅が広くなるように形成されているため、規制部５５によるボス４２の高さ位置規制が高精度でなくとも導入部４３Ａに対してボス４２を導入し易くなっている。
【００２９】
スタッカ３０の前進によって、ボス４２が、導入部４３Ａから第１水平溝４３ａに入り込んだら、ユーザーは、スタッカ３０に対する上方からの外力の付与を止める。外力が除かれると、ボス４２は、ロックステイ５０により上方に付勢され、そして、スタッカ３０のさらなる前進によって、ボス４２は、第１水平溝４３ａ、傾斜溝４３ｂを通過して、第２水平溝４３ｃの終端から鉛直溝４３ｄに沿って上昇する。具体的には、ユーザーの外力が除かれると、コイルバネ５４の復元力によってロックステイ５０が収縮する。ロックステイ５０が収縮すると、スライド長穴５９の他端部５９Ｂに位置しているスライド軸５８が、コイルバネ５４の付勢力によってスライド長穴５９の一端部５９Ａに向かって移動する。スライド軸５８がスライド長穴５９の一端部５９Ａに位置すると、ロックステイ５０の収縮が止まる。この状態のロックステイ５０は、スタッカ３０に設けられたボス４２の高さと鉛直溝４３ｄの終端の高さとを同一の高さ関係になるように、フレーム構造体３４の開きを規制することとなる。
【００３０】
すなわち、ユーザーの外力が除かれると、図１１（ｃ）に示すように、ボス４２が鉛直溝４３ｄに沿って上昇して案内溝４３の終端（鉛直溝４３ｄの終端）と接触する。これによって、取付フレーム４１とボス４２とが係合し、排出部２０に対するスタッカ３０の位置決め及び取り付けが完了する。なお、取付フレーム４１とボス４２との係合状態は、取付フレーム４１が脚部１０ａから前方側に所定距離延在しているため容易に視認でき、係合済みか否かを確認することができる。
【００３１】
一方、排出部２０に対しスタッカ３０を取り外す際には、上記手順と逆の手順を踏む。すなわち、スタッカ３０の第１接地フレーム３１の上部フレーム３１ａに対して上方から外力を加えつつ、スタッカ３０を後退させることで、取付フレーム４１とボス４２との係合状態を容易に解除することができる。また、取り外したスタッカ３０を図３に示すように折りたたむことで、未使用時の省スペース化を実現できる。
【００３２】
したがって、上述した本実施形態によれば、記録処理を経た記録用紙Ｐを排出する排出部２０と、排出部２０から排出された記録用紙Ｐを受けるスタッカ３０とを有するインクジェットプリンター１であって、排出部２０に対してスタッカ３０を着脱自在に取り付ける係合機構４０を備え、係合機構４０は、排出部２０に設けられた取付フレーム４１と、スタッカ３０に設けられた、取付フレーム４１と係合するボス４２と、取付フレーム４１にボス４２を案内する少なくとも上方に向かって延在する、案内溝４３とを備え、ボス４２は、スタッカ３０に設けられたロックステイ５０により、案内溝４３を移動するために上方に付勢されており、スタッカ３０に対し、ロックステイ５０の付勢力に反する外力が加えられ、該外力が除かれると、ボス４２は付勢力により上昇して、ボス４２が案内溝４３を案内され、取付フレーム４１と係合するという構成を採用して排出部２０に対するスタッカ３０の位置決め及び取り付けを行う。
これにより本実施形態によれば、大型のスタッカ３０を容易に排出部２０に取り付けることができるインクジェットプリンター１が得られる。
【００３３】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３４】
例えば、上述の実施形態においては、記録装置がインクジェットプリンター１である場合を例にして説明したが、インクジェットプリンターに限られず、複写機及びファクシミリ等の装置であってもよい。
【符号の説明】
【００３５】
１…インクジェットプリンター（記録装置）、２０…排出部、３０…スタッカ、３１…第１接地フレーム、３２…第２接地フレーム、３４…フレーム構造体、４０…係合機構、４１…取付フレーム（第１の係合部）、４２…ボス（第２の係合部）、４３…案内溝（案内手段）、４３Ａ…導入部、５０…ロックステイ（付勢手段、弾性構造体）、５５…規制部、Ｐ…記録用紙（記録媒体）
【図１】
0005581622.tif 000002
【図２】
0005581622.tif 000003
【図３】
0005581622.tif 000004
【図４】
0005581622.tif 000005
【図５】
0005581622.tif 000006
【図６】
0005581622.tif 000007
【図７】
0005581622.tif 000008
【図８】
0005581622.tif 000009
【図９】
0005581622.tif 000010
【図１０】
0005581622.tif 000011
【図１１】
0005581622.tif 000012